(57)【要約】【課題】筆記時に人差し指で筆記面をなぞるようにぺん先を動かす動作を行い易くし、ホワイトボードなどの略水平面への筆記が容易となる筆記具を提供する。【解決手段】筆記具本体２を構成する先端側から後端側へ少しずつ膨径する前筒部２ａ上の膨径部２０の略中央に、筆記時に添えられる人差し指がペン先と略同じ方向を向くように指先を案内する案内部２２を設けた。【選択図】図２
2004299308.tif 000002
【特許請求の範囲】
【請求項１】
先端部にペン先を有した筆記具本体を備え、この筆記具本体の先端近傍部に、筆記時に添えられる人差し指がペン先と略同じ方向を向くように指先を案内する案内部を設けたことを特徴とする筆記具。
【請求項２】
前記案内部が、筆記時に添えられる人差し指と当接する凹部であること特徴とする請求項１記載の筆記具。
【請求項３】
前記案内部が、筆記時に添えられる人差し指の指先両側を案内する突起または突条であることを特徴とする請求項１記載の筆記具。
【請求項４】
前記筆記具本体が、中央付近から先端側に向かって縮径しているものであり、前記案内部が、先端側は浅く後端に向かって少しずつ深くなるように形成したものであることを特徴とする請求項２記載の筆記具。
【請求項５】
前記案内部、及び該案内部と略同一構造をなす案内部を、筆記具本体の先端近傍部に、円周方向に所定の間隔をあけて複数設けていることを特徴とする請求項１、２、３及び４記載の筆記具。
【請求項６】
筆記具本体が前筒部と後筒部とに分離される筆記具において、前記案内部を前記前筒部の外周に設けていることを特徴とする請求項１、２、３、４及び５記載の筆記具。
【発明の詳細な説明】
【０００１】
【発明の属する技術分野】
本発明は、ホワイトボードに記入するためのマーカーや用紙に記入するための筆などとして好適に用いられる筆記具に関するものである。
【０００２】
【従来の技術】筆記具の正しい持ち方を修得させるために、筆記具にグリップ部材を設け、該グリップ部材に右手の人差し指、親指、中指がそれぞれ当接する部分にそれらの指をかたどった凹部を設けたものや（特許文献１）、筆記時の筆記具の滑り止めと良好な筆記感触を得るために、筆記時に把持される筆記具の本体部分に指との接触面積が小さい小突起と接触面積が大きい大突起とを設けたもの（特許文献２）が知られている。
【０００３】
【特許文献１】
特開２０００−２０３１８８号公報
【特許文献２】
特開２０００−３３５１６７号公報
【０００４】
【発明が解決しようとする課題】
人の腰よりも低い領域にまで記述可能に構成されたホワイトボードなどに筆記する場合、ホワイトボードの上側領域では、通常の持ち手で筆記具を把持していても支障はないが、ホワイトボードの下側領域では手首を折り曲げても筆記しずらく、中腰でホワイトボードの下側領域へ筆記を行なう姿勢となり足腰に負担が生じている。こうした筆記しずらさを避けるために、通常、筆記具を掌で包み込むように把持し筆記することが多い。
【０００５】
このような筆記態様において最も優れた書き味を得ることができる姿勢を種々探求した結果、筆記具本体の先端近傍部に、ペン先と略同じ方向を向くように人差し指を添えるのが望ましいことが判明した。このような把持態様においては、人差し指でホワイトボードの筆記面をなぞるようにぺん先を動かすという筆記特性が生じることが判った。
【０００６】
しかしながら、従来の筆記具では、筆記具を正しく把持させるための凹部を設けたものや、通常の把持態様における指の滑り止めのための突起や凹部を設けているものがあるが、筆記具を掌で包み込むように把持した際の筆記し易さを工夫をしたものはない。
【０００７】
そこで本発明の目的は、人差し指の案内部を筆記具本体の先端近傍部に設けることによって、筆記時に人差し指で筆記面をなぞるようにぺん先を動かす動作を行い易くし、ホワイトボードや用紙などへの筆記が容易になる使い勝手の良い筆記具を提供することにある。
【０００８】
【課題を解決するための手段】
前述した目的を達成するために、本発明の筆記具は、ペン先と筆記具本体を備えた筆記具、及び先端部にペン先を備えた筆記具本体と、不使用時にペン先を覆うようにして前記筆記具本体に着脱可能に装着されるキャップとを備えてなる筆記具において、筆記具本体の先端近傍部に、筆記時に添えられる人差し指がペン先と略同じ方向を向くように指先を案内する案内部を設けている。前記案内部は、筆記時に添えられる人差し指と当接する凹部となる構成を、あるいは、筆記時に添えられる人差し指の指先両側を案内する突起または突条となる構成を採っているので、筆記時に添えられる人差し指の指先をペン先と略同じ方向を向くよう強制することができる。
【０００９】
さらに、中央付近から先端側に向かって縮径している筆記具である場合、案内部を構成する凹部は先端側が浅く、後端に向かって少しずつ深くなるように形成されているものが好適である。このようにすれば、筆記時に添えられる人差し指の指先をペン先と略同じ方向を向くよう強制しつつ、より一層、安定した状態で人差し指を筆記具本体に添えることができ、良好な筆記感触を提供することができる。
【００１０】
加えて、前記案内部、及び該案内部と略同一構造をなす案内部を、筆記部本体の先端近傍部に、円周方向に所定の間隔をあけて複数設けることにより、筆記時に筆記具本体を把持する部位を任意に選択することができると共に、人差し指と共に筆記時に筆記具本体に添えら親指、中指に対しても把持する際の指のガイド機能と滑り止め機能を持たせることができるようになる。
【００１１】
また、筆記具本体に内装されているインキカートリッジ交換の際、筆記具本体が前筒部と後筒部とに分離される筆記において前記案内部を前記前筒部に設けておけば、この案内部が分離の際の指掛部にもなる。
【００１２】
なお、本明細書における位置もしくは方向を示す用語である「先」とは、特に明示しない限り、筆記具の筆記面に近い側に用いられ、「後」とは、その軸方向の反対側について用いられる。
【００１３】
【発明の実施の形態】
以下、本発明の第一の実施形態を図面を参照して説明する。
【００１４】
この実施形態の筆記具１は、図１ないし図２に示すように、先端にペン先２１を有し筆記の際に把持される筆記具本体２と、この筆記具本体２の先端側にペン先２１を覆うようにして着脱可能に装着されるキャップ３とから構成され、主としてこれらは樹脂の射出成形品が用いられる。
【００１５】
筆記具本体２は、図２に示すように、前筒部２ａと後筒部２ｂとで構成され、前筒部２ａと後筒部２ｂとはねじ込まれて着脱可能に取り付けられる。こうした構成を採ることにより、筆記具本体２に内装されている図示しないインキカートリッジの取替えを容易にしている。
【００１６】
さらに、筆記具本体２は、掌で包み込むように把持した際の把持感触を良好にするため、中央付近から先端側及び後端側に向かって少しずつ縮径している樽形状とし、その長さは、すっぽりと掌で包み込まれる程度に構成することが望ましい。
【００１７】
前筒部２ａは、図２に示すように、先端側から後端側に向かって少しずつ膨径している形状をなし、後端部には後筒部２ｂへねじ込むための図示しない螺合部を有している。さらに、先端には、ホワイトボードや紙のなどの被筆記体へ圧接することにより、筆記具本体２の内部でインキを含浸させた綿体と、これを内包する筒体とからなる図示しないインキカートリッジに貯留しているインキを被筆記体に転写させるための媒体となるペン先２１を設けると共に、筆記時に添えられる人差し指がペン先と略同じ方向を向くように指先を案内する案内部２２を設けている。
【００１８】
案内部２２は、図２に示すように、前筒部２ａの先端側から後端側に向かって膨径している膨径部２０の略中央に設けられ、ペン先方向に開口する略Ｕ字をなし、先端側は浅く後端に向かって少しずつ深くなる凹部となるように構成することで、筆記時に添えられる人差し指を自然な状態で密着保持できるようにしている。
【００１９】
さらに、前記案内部２２は、図２に示すように、膨径部２０の円周方向に所定の間隔をあけて複数設けることで、筆記時に添える人差し指を任意の位置に添えることができるようにすると共に、筆記具本体２を把持する場合、図３に示すように、人差し指と共に筆記具本体２に添えられる親指、中指に対しても把持する際のガイドとしての機能と滑り止め機能とを具備することができる。また、図４に示すように、通常の持ち手で把持する場合にも、前記把持指３本の把持ガイド及び滑り止め機能は同様に発揮される。加えて、インキカートリッジ取替えのために前筒部２ａと後筒部２ｂとの螺合を解除し筆記具本体２を分離する場合、前筒部２ａを螺合解除方向にねじる際の指掛部としての機能を具備するので、インキカートリッジの取替え作業を簡易に行なうことができる。
【００２０】
後筒部２ｂは、図２に示すように、先端側から後端側に向かって少しずつ縮径している形状をなし、先端部には前筒部２ａがねじ込まれる図示しない螺合部を有している。また、後端には、キャップ３を連結するための連結部２３を設け、筆記時にペン先側から外されるキャップ３を筆記具本体２に連結できるようにしているので、キャップ３の散逸を防止することができる。
【００２１】
連結部２３は、本体２の軸線上に略円柱状に後筒部２ｂから膨出するよう設けられ、キャップ３の先端側の凹部３２と同一嵌合径となるよう構成すると共に、キャップ３に設けられたペン先２１の収納部となる円筒形の凸部３３が嵌入される図示しない略円柱状の凹部が設けられている。
【００２２】
さらに、後筒部２ｂの先端近傍部には、図２に示すように、デスクなどの平面上に筆記具１を置いた際の転がりを防止するための突条２４を設けている。この突条２４は転がり防止の他、上述したインキカートリッジの取替え時、後筒部２ｂを螺合解除方向にねじる際の指掛部としての機能を具備している。したがって、前記案内部２２と該突条２４の指掛機能により、前筒部２ａと後筒部２ｂとを同時にそれぞれ螺合解除方向にねじることができ、本体２の分離はさらに容易となり、インキカートリッジの取替え作業効率を各段に向上させることができる。
【００２３】
キャップ３は、図１に示すように、不使用時にはペン先を覆うように筆記具本体２に着脱可能に嵌め込まれ該筆記具本体２に保持されている。また、形状については先端と後端が同径である断面が長方形のものでも構わないが、本実施形態の形態のように、中央付近から先端側及び後端側に向かって少しずつ膨径している断面がアーチ状に向き合った構成にすることで、筆記時に筆記具本体２との嵌合を解く際、引っ張り方向へのキャップ３に対する指の引っかかりが大きくなり、したがって指が滑りにくく大きな力を必要とせず本体２との嵌合を解くことができるようになる。加えて、先端近傍部に円周方向に所定の間隔をあけて複数の環状凹部３１を設けておけばなお指が滑りにくく、より一層本体２との嵌合解除が容易となる。なお、案内部２２をこの実施例のような形状のものにしておけば、前記キャップ３を筆記具本体２から引き抜く際に、筆記具本体２側を把持しているの指の滑り止めとして機能させることもできる。
【００２４】
次に、本発明の第二の実施形態を図面を参照して説明する。
【００２５】
この実施形態の筆記具１０は、図５ないし図６に示すように、筆記の際に把持される筆記具本体２０と、この筆記具本体２０の先端側にペン先２１０を覆うようにして着脱可能に装着されるキャップ３０から構成され、主としてこれらは樹脂の射出成形品が用いられる。
【００２６】
筆記具本体２０は、図６に示すように、前筒部２０ａと後筒部２０ｂとで構成され、前筒部２０ａと後筒部２０ｂとはねじ込まれて着脱可能に取り付けられる。こうした構成を採ることにより、図示しない本体内部にあるインキカートリッジの取替えを容易にしている。
【００２７】
さらに、筆記具本体２０は、図６に示すように、掌で包み込むように把持した際の把持感触を良好にするため、中央付近から先端側及び後端側に向かって少しずつ縮径している樽形状とし、その長さは、すっぽりと掌で包み込まれる程度に構成することが望ましい。
【００２８】
前筒部２０ａは、図６に示すように、先端側から後端側に向かって少しずつ膨径している形状をなし、後端部には後筒部２０ｂへねじ込むための図示しない螺合部を有している。さらに、先端には、ホワイトボードや紙のなどの被筆記体へ圧接することにより、本体２０の内部のインキを含浸させた綿体と、これを内包する筒体とからなる図示しないインキカートリッジに貯留しているインキを被筆記体に転写させるための媒体となるペン先２１０を設けると共に、筆記時に添えられる人差し指がペン先と略同じ方向を向くように指先を案内する案内部２２０を設けている。
【００２９】
案内部２２０は、図６に示すように、前筒部２０ａの先端側から後端側に向かって膨径している膨径部２００の略中央に設けられ、筆記具本体２０の軸方向と略同一方向に伸び前筒部２０ａの円周方向に対をなした突条に構成することで、図７に示すように、筆記時に添えられる人差し指の両側を保持する。あるいは、前記案内部２２０を、前筒部２０ａの円周方向に対をなした略円錐形の突起に構成しても、筆記時に添えられる人差し指の両側を保持する効果を求めることができる。加えて、インキカートリッジの取替えのために前筒部２０ａと後筒部２０ｂとの螺合を解除し筆記具本体２０を分離する場合、前筒部２０ａを螺合解除方向にねじる際の指掛部としての機能を具備することができ、インキカートリッジの取替え作業を簡易に行なうことができる。
【００３０】
さらに、前記案内部２２０は、膨径部２００に円周方向に所定の間隔をあけて複数設けることで、筆記時に添える人差し指を任意の位置に添えることができ、本体２０の把持自由度を増すことができる。
【００３１】
後筒部２０ｂは、図６に示すように、先端側から後端側に向かって少しずつ縮径している形状をなし、先端部には前筒部２０ａがねじ込まれる図示しない螺合部を有している。また、後端には、キャップ３０を連結するための連結部２３０を設け、筆記時にペン先側から取り外されるキャップ３０を筆記具本体２０に連結できるようにしているので、キャップ３０の散逸を防止することができる。
【００３２】
連結部２３０は、筆記具本体２の軸線上に略円柱状に後筒部２０ｂから膨出するよう設けられ、キャップ３０の先端側の凹部３２０と略同一嵌合径となるよう構成すると共に、キャップ３０に設けられたペン先２１０の収納部となる円筒形の凸部３３０が嵌入される図示しない略円柱状の凹部が設けられている。
【００３３】
さらに、後筒部２０ｂの先端近傍部に、図６に示すように、デスクなどの平面上に筆記具１０を置いた際の転がりを防止するため突条２４０を設けている。この突条２４０は転がり防止の他、上述したインキカートリッジの取替え時、前筒部２０ａとの螺合を解除する際の指掛部としての機能を具備している。したがって、前記案内部２２０と該突条２４０の指掛機能により、前筒部２０ａと後筒部２０ｂとを同時にそれぞれ螺合解除方向にねじることができ、本体２０の分離はさらに容易となり、インキカートリッジの取替え作業効率を各段に向上させることができる。
【００３４】
キャップ３０は、図５に示すように、不使用時にはペン先２１０を覆うように筆記具本体２０に着脱可能に嵌め込まれ筆記具本体２０に保持されている。また、形状については先端と後端が同径である断面が長方形のものでも構わないが、本実施形態の形態のように、中央付近から先端側及び後端側に向かって少しずつ膨径している断面がアーチ状に向き合った構成にすることで、筆記時に本体２０との嵌合を解く際、引っ張り方向へ指の引っかかりが大きくなり、したがって指が滑りにくく大きな力を必要とせず本体２０との嵌合を解くことができるようになる。加えて、先端近傍部に円周方向に所定の間隔をあけて複数の環状凹部３１０を設けておけばなお指が滑りにくく、より一層本体２０との嵌合解除が容易となる。
【００３５】
以上、本発明は主にホワイトボード用マーカーに適応した実施例について詳述したが、本実施形態に限られるものではなく、その趣旨を逸脱しない範囲でホワイトボード用マーカー以外のボールペン、芯繰出し式鉛筆、筆等への数々の変形が可能である。
【００３６】
【発明の効果】
本発明の筆記具は、以上説明した構成であるから、ホワイトボードなどへの筆記時に筆記具を掌で包み込むように把持した場合の人差し指で筆記面をなぞるようにぺん先を動かす動作に対して、人差し指で筆記具をしっかりと保持でき良好な筆記感触を得ることができる。
【００３７】
また、筆記具本体が前筒と後筒とに分離される構成を採ると共に、前筒と後筒とにそれぞれ分離の際の指掛部が設けられているので分離が容易となり、インキカートリッジ取替作業の煩雑さを解消することができる。
【図面の簡単な説明】
【図１】本発明の第一の実施形態における筆記具を示す斜視図
【図２】同実施例における筆記具本体を示す斜視図
【図３】同実施例における筆記具を包み込んで把持した態様で筆記するときの状態を説明する斜視図
【図４】同実施例における筆記具を通常の持ち手で把持した態様で筆記するときの状態を説明する斜視図
【図５】本発明の第二の実施形態における筆記具を示す斜視図
【図６】同実施例における筆記具本体を示す斜視図
【図７】同実施例における筆記具を包み込んで把持した態様で筆記するときの状態を説明する斜視図
【符号の説明】
１、１０…筆記具
２、２０…筆記具本体
２ａ、２０ａ…本体前筒部
２ｂ、２０ｂ…本体後筒部
２１、２１０…ペン先
２２、２２０…案内部
２３、２３０…連結部
２４、２４０…転がり防止突条
３、３０…キャップ
３１、３１０…環状凹部
３２，３２０…キャップ先端凹部
３３．３３０…ペン先収納部
【図１】
2004299308.tif 000003
【図２】
2004299308.tif 000004
【図３】
2004299308.tif 000005
【図４】
2004299308.tif 000006
【図５】
2004299308.tif 000007
【図６】
2004299308.tif 000008
【図７】
2004299308.tif 000009